(57)【要約】【課題】取付凹部に対する可撓性チューブの取付作業性を向上することができるとともに、可撓性チューブやロータの破損を防止することができるしごき型ポンプ及びその可撓性チューブの取付方法を提供する。【解決手段】可撓性チューブＤが取り付けられる取付凹部Ｒを具備したステータ６と、当該可撓性チューブＤの上流側を挟持する上流側挟持手段９及び下流側を挟持する下流側挟持手段１０と、取付凹部Ｒ内で回転駆動可能とされたロータ７と、取付凹部Ｒに取り付けられた可撓性チューブＤを径方向に圧縮しつつ当該ロータ７の回転に伴い長手方向にしごくローラ８とを具備したしごき型ポンプにおいて、上流側挟持手段９は、可撓性チューブＤを固定して長手方向の移動を規制するとともに、下流側挟持手段１０は、ロータ７の回転駆動力で可撓性チューブＲの長手方向の移動を許容しつつ挟持するものである。【選択図】図３
2008002388.tif 000002
【特許請求の範囲】
【請求項１】
血液等の流体を流動させ得る可撓性チューブが取り付けられる取付凹部を具備したステータと、
前記取付凹部に前記可撓性チューブを取り付けた状態で、当該可撓性チューブの上流側を挟持する上流側挟持手段及び下流側を挟持する下流側挟持手段と、
前記取付凹部内で回転駆動可能とされたロータと、
該ロータに形成され、当該取付凹部に取り付けられた可撓性チューブを径方向に圧縮しつつ当該ロータの回転に伴い長手方向にしごくことにより、当該可撓性チューブ内で流体を流動させるためのローラと、
を具備したしごき型ポンプにおいて、
前記上流側挟持手段は、前記可撓性チューブを固定して長手方向の移動を規制するとともに、前記下流側挟持手段は、前記ロータの回転駆動力で前記可撓性チューブの長手方向の移動を許容しつつ挟持することを特徴とするしごき型ポンプ。
【請求項２】
前記ロータには、前記取付凹部の内周壁面側に突出したガイドピンが形成されるとともに、当該ガイドピンの突端と内周壁面との間のクリアランスは、取り付けられる可撓性チューブが径方向に弾性変形した状態で挿通可能に設定されたことを特徴とする請求項１記載のしごき型ポンプ。
【請求項３】
前記ステータに開閉自在に取り付けられ、閉じた状態で前記取付凹部を覆うカバーと、
該カバーに形成され、閉じた状態で前記上流側挟持手段及び下流側挟持手段にて挟持された可撓性チューブを上方から押圧し得る押圧凸部と、
を備えたことを特徴とする請求項１又は請求項２記載のしごき型ポンプ。
【請求項４】
前記ロータの回転位置を検出する検出手段を具備するとともに、該検出手段の検出に基づき当該ロータを所定位置にて停止させることを特徴とする請求項１〜請求項３の何れか１つに記載のしごき型ポンプ。
【請求項５】
血液等の流体を流動させ得る可撓性チューブが取り付けられる取付凹部を具備したステータと、
前記取付凹部内で回転駆動可能とされたロータと、
該ロータに形成され、当該取付凹部に取り付けられた可撓性チューブを径方向に圧縮しつつ当該ロータの回転に伴い長手方向にしごくことにより、当該可撓性チューブ内で流体を流動させるためのローラと、
を具備したしごき型ポンプの可撓性チューブ取付方法において、
前記ロータを回転駆動させた状態で、可撓性チューブを取付凹部の内周壁面に沿って取り回しするとともに、当該可撓性チューブの上流側を固定させつつ下流側を当該ロータの回転駆動にてその長手方向の移動を許容させることを特徴とするしごき型ポンプの可撓性チューブの取付方法。
【発明の詳細な説明】
【技術分野】
【０００１】
本発明は、血液等の流体を流動させ得る可撓性チューブを径方向に圧縮しつつしごくことにより、当該可撓性チューブ内で流体を流動させるためのしごき型ポンプ及びその可撓性チューブの取付方法に関するものである。
【背景技術】
【０００２】
一般に、透析治療においては、患者の血液を体外循環させるべく可撓性チューブから成る血液回路が使用されている。この血液回路は、患者から血液を採取する動脈側穿刺針が先端に取り付けられた動脈側血液回路と、患者に血液を戻す静脈側穿刺針が先端に取り付けられた静脈側血液回路とから主に成り、これら動脈側血液回路と静脈側血液回路との間にダイアライザを介在させ、体外循環する血液の浄化を行っている。
【０００３】
動脈側血液回路の一部には、他より軟質且つ太径な可撓性チューブが接続されており、かかる部位が、透析装置に配設されたしごき型血液ポンプに取り付けられるよう構成されている。このしごき型血液ポンプは、通常、可撓性チューブを取付可能な取付凹部を有したステータと、取付凹部に取り付けられた可撓性チューブを固く挟持し得る挟持手段と、当該取付凹部内で回転駆動可能とされたロータと、該ローラに形成されて可撓性チューブを圧縮しつつしごくローラとから主に構成されている。
【０００４】
しごき型血液ポンプに可撓性チューブを取り付けるには、従来、医療従事者等の作業者が手でロータを少しずつ回転させつつ可撓性チューブを取付凹部の内周壁面に沿って取り回す必要があった。即ち、取付凹部の内周壁面とローラとの間には、ロータの回転駆動時に可撓性チューブを圧縮してしごく必要性から僅かなクリアランスしかなく、かかるクリアランスに可撓性チューブを挿通させるためにロータを少しずつ手で回転させ、取付凹部全域に取り付けていたのである。尚、かかる先行技術は、文献公知発明に係るものでないため、記載すべき先行技術文献情報はない。
【発明の開示】
【発明が解決しようとする課題】
【０００５】
しかしながら、上記従来のしごき型ポンプにおいては、手でロータを少しずつ回転させつつ取付凹部に可撓性チューブを取り付ける必要があったので、取付作業が煩わしく手間がかかってしまうという問題があった。また、取付凹部に対する可撓性チューブの取付が不良のままロータを回転駆動すると、ガイドピンが可撓性チューブを噛み込んでしまう可能性があり、当該可撓性チューブやロータが破損してしまう虞があった。
【０００６】
本発明は、このような事情に鑑みてなされたもので、取付凹部に対する可撓性チューブの取付作業性を向上することができるとともに、可撓性チューブやロータの破損を防止することができるしごき型ポンプ及びその可撓性チューブの取付方法を提供することにある。
【課題を解決するための手段】
【０００７】
請求項１記載の発明は、血液等の流体を流動させ得る可撓性チューブが取り付けられる取付凹部を具備したステータと、前記取付凹部に前記可撓性チューブを取り付けた状態で、当該可撓性チューブの上流側を挟持する上流側挟持手段及び下流側を挟持する下流側挟持手段と、前記取付凹部内で回転駆動可能とされたロータと、該ロータに形成され、当該取付凹部に取り付けられた可撓性チューブを径方向に圧縮しつつ当該ロータの回転に伴い長手方向にしごくことにより、当該可撓性チューブ内で流体を流動させるためのローラとを具備したしごき型ポンプにおいて、前記上流側挟持手段は、前記可撓性チューブを固定して長手方向の移動を規制するとともに、前記下流側挟持手段は、前記ロータの回転駆動力で前記可撓性チューブの長手方向の移動を許容しつつ挟持することを特徴とする。
【０００８】
請求項２記載の発明は、請求項１記載のしごき型ポンプにおいて、前記ロータには、前記取付凹部の内周壁面側に突出したガイドピンが形成されるとともに、当該ガイドピンの突端と内周壁面との間のクリアランスは、取り付けられる可撓性チューブが径方向に弾性変形した状態で挿通可能に設定されたことを特徴とする。
【０００９】
請求項３記載の発明は、請求項１又は請求項２記載のしごき型ポンプにおいて、前記ステータに開閉自在に取り付けられ、閉じた状態で前記取付凹部を覆うカバーと、該カバーに形成され、閉じた状態で前記上流側挟持手段及び下流側挟持手段にて挟持された可撓性チューブを上方から押圧し得る押圧凸部とを備えたことを特徴とする。
【００１０】
請求項４記載の発明は、請求項１〜請求項３の何れか１つに記載のしごき型ポンプにおいて、前記ロータの回転位置を検出する検出手段を具備するとともに、該検出手段の検出に基づき当該ロータを所定位置にて停止させることを特徴とする。
【００１１】
請求項５記載の発明は、血液等の流体を流動させ得る可撓性チューブが取り付けられる取付凹部を具備したステータと、前記取付凹部内で回転駆動可能とされたロータと、該ロータに形成され、当該取付凹部に取り付けられた可撓性チューブを径方向に圧縮しつつ当該ロータの回転に伴い長手方向にしごくことにより、当該可撓性チューブ内で流体を流動させるためのローラとを具備したしごき型ポンプの可撓性チューブ取付方法において、前記ロータを回転駆動させた状態で、可撓性チューブを取付凹部の内周壁面に沿って取り回しするとともに、当該可撓性チューブの上流側を固定させつつ下流側を当該ロータの回転駆動にてその長手方向の移動を許容させることを特徴とする。
【発明の効果】
【００１２】
請求項１及び請求項５の発明によれば、取付凹部に取り付けられるべき上流側の可撓性チューブを固定して長手方向の移動を規制するとともに、ロータの回転駆動力で下流側の当該可撓性チューブの長手方向の移動を許容するので、ロータを回転駆動させつつ可撓性チューブを取付凹部の内周壁面に沿って取り回しすることにより、当該可撓性チューブをステータの取付凹部に取り付けることができる。従って、取付凹部に対する可撓性チューブの取付作業性を向上することができる。
【００１３】
同時に、単にロータを回転駆動させつつ可撓性チューブを取付凹部の内周壁面に沿って取り回しすることにより、当該可撓性チューブをステータの取付凹部に取り付けることができるので、取付不良を抑制でき、ガイドピンが可撓性チューブを噛み込んでしまうのを抑制して可撓性チューブやロータの破損を防止することができる。
【００１４】
請求項２の発明によれば、ロータから突出したガイドピンの突端とステータの内周壁面との間のクリアランスは、取り付けられる可撓性チューブが径方向に弾性変形した状態で挿通可能に設定されているので、当該可撓性チューブの取付凹部への取付時において、ガイドピンが可撓性チューブを噛み込んでしまうのを抑制し、可撓性チューブやガイドピンの破損を防止することができる。
【００１５】
請求項３の発明によれば、カバーを閉じた状態で当該カバーに形成された押圧凸部が可撓性チューブの挟持部位を上方から押圧するので、単にカバーを閉じることにより上流側挟持手段及び下流側挟持手段による可撓性チューブの挟持を補助することができる。
【００１６】
請求項４の発明によれば、検出手段の検出に基づきロータを所定位置にて停止させるので、次に取付凹部に対して可撓性チューブを取り付ける際、取付が容易な所望位置とすることができ、取付作業性をより向上させることができる。
【発明を実施するための最良の形態】
【００１７】
以下、本発明の実施形態について図面を参照しながら具体的に説明する。
第１の実施形態に係るしごき型ポンプは、血液を体外循環させるための血液回路の一部を構成する可撓性チューブを径方向に圧縮しつつしごくことにより、当該血液回路内で血液を流動させるしごき型血液ポンプに適用されたものである。以下、本しごき型血液ポンプが適用される血液透析装置（血液回路含む）について説明する。
【００１８】
血液透析装置は、図１に示すように、ダイアライザ２が接続された血液回路１、及びダイアライザ２に透析液を供給しつつ除水する透析装置本体５から主に構成されている。血液回路１は、同図に示すように、可撓性チューブから成る動脈側血液回路１ａ及び静脈側血液回路１ｂから主に構成されており、これら動脈側血液回路１ａと静脈側血液回路１ｂの間にダイアライザ２が接続されている。
【００１９】
ダイアライザ２は、微小孔（ポア）が形成された複数の中空糸を筐体部に収容して成るものであり、その筐体部に、血液導入ポート２ａ、血液導出ポート２ｂ、透析液導入ポート２ｃ及び透析液導出ポート２ｄが形成されており、このうち血液導入ポート２ａには動脈側血液回路１ａの基端が、血液導出ポート２ｂには静脈側血液回路１ｂの基端がそれぞれ接続されている。また、透析液導入ポート２ｃ及び透析液導出ポート２ｄは、透析装置本体６から延設された透析液導入ラインＬ１及び透析液排出ラインＬ２とそれぞれ接続されている。
【００２０】
動脈側血液回路１ａには、その先端に動脈側穿刺針ａが接続されているとともに、途中にしごき型血液ポンプ３が配設される一方、静脈側血液回路１ｂには、その先端に静脈側穿刺針ｂが接続されているとともに、途中に除泡用のドリップチャンバ４が接続されている。そして、動脈側穿刺針ａ及び静脈側穿刺針ｂを患者に穿刺した状態で、血液ポンプ３を駆動させると、患者の血液は、動脈側血液回路１ａを通ってダイアライザ２に至り、該ダイアライザ２によって血液浄化が施された後、ドリップチャンバ４で除泡がなされつつ静脈側血液回路１ｂを通って患者の体内に戻る。即ち、患者の血液を血液回路１にて体外循環させつつダイアライザ２にて浄化するのである。
【００２１】
一方、動脈側血液回路１ａの一部には、図２に示すように、他より軟質且つ太径な可撓性チューブＤが接続されており、かかる部位（可撓性チューブＤ）が、透析装置本体５に配設されたしごき型血液ポンプ３に取り付けられるよう構成されている。かかるしごき型血液ポンプ３は、図３及び図４に示すように、ステータ６と、ステータ６内で回転駆動可能なロータ７と、該ロータ７に形成されたローラ８と、上下一対のガイドピン１１ａ、１１ｂと、カバー１２と、上流側挟持手段９と、下流側挟持手段１０とから主に構成されている。
【００２２】
ステータ６は、可撓性チューブＤが取り付けられる取付凹部Ｒが形成されたもので、当該取付凹部Ｒを形成する内周壁面６ａに沿って可撓性チューブＤが取り付けられるよう構成されている。取付凹部Ｒの略中央には、モータ１３により回転軸Ｌ１を中心として回転駆動可能なロータ７が配設されている。かかるロータ７の側面（内周壁面６ａと対向する面）には、一対のローラ８と、ガイドピン１１ａ、１１ｂとが配設されている。
【００２３】
ローラ８は、ロータ７の外縁側に形成された回転軸Ｌ２を中心として回転可能とされたもので、取付凹部Ｒに取り付けられた可撓性チューブＤを径方向に圧縮しつつ当該ロータ７の回転に伴い長手方向（血液の流動方向）にしごくことにより、血液回路１内で血液を流動させ得るものである。即ち、取付凹部Ｒ内に可撓性チューブＤを取り付けてロータ７を回転駆動させると、図５に示すように、ローラ８と内周壁面６ａとの間で当該可撓性チューブＤが圧縮されるとともに、ロータ７の回転駆動に伴ってその回転方向（長手方向）にしごき得るのである。かかるしごき作用により、血液回路１内の血液がロータ７の回転方向に流動することとなるので、当該血液回路１内で体外循環させることが可能とされている。
【００２４】
上流側挟持手段９は、取り付けるべき可撓性チューブＤの上流側（これを上流側取付部位Ｄ１とする）を挟持するためのものであり、図３及び図４で示すように、揺動軸Ｌ３を中心に揺動可能な板材から成る。かかる上流側挟持手段９は、ねじりバネＳにより挟持方向に比較的強く付勢されており、上流側取付部位Ｄ１を固く挟持して固定（上流側取付部位Ｄ１の図４中左右方向及び長手方向に対する移動を規制）し得るようになっている。
【００２５】
下流側挟持手段１０は、取り付けるべき可撓性チューブＤの下流側（これを下流側取付部位Ｄ２とする）を挟持するためのものであり、左右一対のローラ部材１０で構成されている。これらローラ部材１０は、下流側取付部位Ｄ２の両側面に位置して対向する如く配設され、各々が回転軸Ｌａを中心に回転自在とされているとともに、これら一対のローラ部材１０の離間位置に下流側取付部位Ｄ２を挿通させて挟持させ得るよう構成されている。
【００２６】
一対のローラ部材１０の離間寸法は、下流側取付部位Ｄ２の外径より若干小さく設定されており、当該下流側取付部位Ｄ２の図４中左右方向の移動を規制しつつ長手方向の移動を許容して挟持し得るようになっている。即ち、下流側挟持手段１０で挟持された下流側取付部位Ｄ２に対して長手方向の負荷が付与されると、ローラ部材１０が回転してその方向への移動が許容されるのである。
【００２７】
ガイドピン１１ａ、１１ｂは、図５に示すように、ロータ７の上端側及び下端側から内周壁面６ａに向かってそれぞれ突出形成されたピン状部材から成るものであり、これらの間に可撓性チューブＤが保持されることとなる。即ち、ロータ７の駆動時、上下のガイドピン１１ａ、１１ｂにより可撓性チューブＤを正規の位置に保持させるとともに、上側のガイドピン１１ａにより取付凹部Ｒから離脱しないようになっているのである。
【００２８】
本実施形態においては、同図に示すように、上側のガイドピン１１ａの突端と内周壁面６ａとの間のクリアランスｔ１が、下側のガイドピン１１ｂの突端と内周壁面６ａとの間のクリアランスｔ２より大きく設定されており、特にクリアランスｔ１は、取り付けられる可撓性チューブＤが径方向に弾性変形した状態で挿通可能に設定されている。即ち、クリアランスｔ１に可撓性チューブＤが至ると、従来であれば当該可撓性チューブＤが噛み込まれてしまうのに対し、本実施形態によれば、径方向に弾性変形した状態で挿通可能な寸法とされているため、噛み込みが抑制されるのである。
【００２９】
挿通可能な寸法ｔ１は、可撓性チューブＤがガイドピン１１ａにて径方向に圧縮され、且つ、弾性変形した状態で挿通し、取付凹部Ｒに対して上側又は下側に逃げ得るよう構成すれば足りる。これにより、可撓性チューブＤの取付凹部Ｒへの取付時において、ガイドピン１１ａが可撓性チューブＤを噛み込んでしまうのを抑制し、可撓性チューブＤやガイドピン１１ａの破損を防止することができる。
【００３０】
尚、下側のガイドピン１１ｂについては、可撓性チューブＤの取り付け及び取り外しが行われない側（取付凹部Ｒの底面側）であるため、その突出寸法を考慮することはないが、例えばガイドピン１１ａと略同一の突出寸法としてもよい。また、ガイドピン１１ａ、１１ｂに代えて、弾力を持って屈曲自在な突出部材とすれば、ガイドピンの突出寸法をあまり考慮することなく、可撓性チューブＤの取付凹部Ｒへの取付時における可撓性チューブＤの噛み込みを防止することができる。
【００３１】
カバー１２は、ステータ６に開閉自在に取り付けられ、閉じた状態で取付凹部Ｒを覆うものであり、ロータ７の回転駆動時において取付凹部Ｒ内への異物等の侵入等を防止し得るものである。かかるカバー１２には、図４に示すように、当該カバー１２が閉じた状態で上流側挟持手段９及び下流側挟持手段１０にて挟持された可撓性チューブＤ（具体的には、上流側取付部位Ｄ１及び下流側取付部位Ｄ２の近傍）を上方から押圧し得る押圧凸部１２ａが形成されている。
【００３２】
これにより、単にカバー１２を閉じることにより、押圧凸部１２ａが上流側取付部位Ｄ１及び下流側取付部位Ｄ２近傍を上方から押圧し得るので、上流側挟持手段９及び下流側挟持手段１０による可撓性チューブＤの挟持を補助することができる。即ち、カバー１２を開いた状態では、上流側取付部位Ｄ１及び下流側取付部位Ｄ２の図４中上方側が規制されていないため、カバー１２を閉じて押圧凸部１２ａにて上流側取付部位Ｄ１及び下流側取付部位Ｄ２近傍を上方から押圧することにより、径方向の移動の規制をより確実に行わせることができるのである。
【００３３】
一方、ステータ６には、ロータ７の回転位置を検出するとともにモータ１３と電気的に接続されたセンサ１４（検出手段）が配設されており、該センサ１４の検出に基づき当該ロータ６を所定位置にて停止させるよう構成されている。従って、センサ１４の検出に基づきロータ６を所定位置にて停止させるので、次に取付凹部Ｒに対して可撓性チューブＤを取り付ける際、取付が容易な所望位置（例えば、図３で示す如きローラ８が同図中上下に位置する状態）とすることができ、取付作業性をより向上させることができる。
【００３４】
次に、上記しごき型血液ポンプにおける可撓性チューブＤの取付作業について説明する。
まず、可撓性チューブＤを略Ｕ字状に折り曲げ、その上流側を上流側挟持手段９にて挟持させるとともに、下流側を下流側挟持手段１０にて挟持させる。具体的には、上流側を取り付ける際には、上流側挟持手段９をねじりバネＳの付勢力に抗して揺動させ、上流側取付部位Ｄ１を挿通させた後、当該上流側挟持手段９を元の位置（挟持位置）まで揺動させて挟持させるとともに、下流側を取り付ける際には、一対のローラ部材１０間に下流側取付部位Ｄ２を挿通させて挟持させる。
【００３５】
この状態では、可撓性チューブＤは、単に内周壁面６ａに沿って取り回しされているのみで、ガイドピン１１ａ、１１ｂ間に保持されておらず、且つ、ローラ８にて圧縮されていない。かかる状態において、カバー１２を閉じてモータ１３を駆動し、ロータ７を回転駆動させると、その回転駆動力で可撓性チューブＤがローラ８にて圧縮され且つガイドピン１１ａ、１１ｂにて保持される位置まで径方向に移動するとともに、下流側に付与された負荷にて下流側取付部位Ｄ２が長手方向に移動する。
【００３６】
即ち、ロータ７の回転駆動力により、取り回しされた可撓性チューブＤの長さ（上流側取付部位Ｄ１から下流側取付部位Ｄ２までの寸法）が設定より長い場合は、下流側取付部位Ｄ２が取付凹部Ｒから排出される方向に移動し、反対に短い場合は、当該下流側取付部位Ｄ２が取付凹部Ｒに引き込まれる方向に移動するのである。これにより、ほぼ自動的に可撓性チューブＤを取付凹部Ｒに取り付けることができ、取付凹部Ｒに対する可撓性チューブＤの取付作業性を向上することができる。
【００３７】
また、単にロータ７を回転駆動させつつ可撓性チューブＤを取付凹部Ｒの内周壁面６ａに沿って取り回しすることにより、当該可撓性チューブＤをステータ７の取付凹部６ａに取り付けることができるので、取付不良を抑制でき、ガイドピン１１ａが可撓性チューブＤを噛み込んでしまうのを抑制して可撓性チューブＤやロータ７の破損を防止することができる。尚、カバー１２を閉じることにより、上流側取付部位Ｄ１及び下流側取付部位Ｄ２に対する挟持が補助される。
【００３８】
このようにして可撓性チューブＤを取付凹部Ｒに取り付け、動脈側穿刺針ａ及び静脈側穿刺針ｂを患者に穿刺することにより、血液透析治療が開始可能とされる。治療時においては、上流側挟持手段９が可撓性チューブＤの長手方向の移動が規制されているので、ロータ７の回転駆動により可撓性チューブＤ全体が長手方向に移動してしまうという不具合はない。また、血液透析治療後（血液回収がされた後）は、モータ１３を停止させてロータ７の回転駆動を停止させるのであるが、このときセンサ１４の検出に基づき所望位置にてロータ７が停止することとなる。
【００３９】
次に、本発明の第２の実施形態について説明する。
本実施形態に係るしごき型ポンプは、第１の実施形態と同様、血液を体外循環させるための血液回路の一部を構成する可撓性チューブを径方向に圧縮しつつしごくことにより、当該血液回路内で血液を流動させるしごき型血液ポンプに適用されたもので、図６及び図７に示すように、ステータ６と、ステータ６内で回転駆動可能なロータ７と、該ロータ７に形成されたローラ８と、上下一対のガイドピン１１ａ、１１ｂと、カバー１２と、上流側挟持手段９と、下流側挟持手段１５とから主に構成されている。尚、先の実施形態と同様の構成要素には同一の符号を付し、その詳細な説明を省略する。
【００４０】
下側挟持手段１５は、可撓性チューブＤにおける下流側取付部位Ｄ２を挟持するためのものであり、揺動軸Ｌ４を中心として揺動自在とされるとともに、下流側取付部位Ｄ２を強固に挟持し得る溝１５ａが形成された部材から成る。即ち、溝１５ａは、下流側取付部位Ｄ２の外径より小さい幅の溝とされており、当該下流側取付部位Ｄ２を嵌合すると下流側挟持手段１５に対して固定（長手方向及び径方向に対する移動が規制）されるようになっているのである。
【００４１】
そして、可撓性チューブＤの取付凹部Ｒへの取付時、下流側挟持手段１５で挟持された下流側取付部位Ｄ２に対して長手方向の負荷が付与されると、当該下流側挟持手段１５の揺動軸Ｌ４を中心とした揺動と共に移動するようになっている。これにより、下流側挟持手段１５は、下流側取付部位Ｄ２に対する長手方向の移動を許容することとなり、第１の実施形態と同様、ほぼ自動的に可撓性チューブＤを取付凹部Ｒに取り付けることができ、取付凹部Ｒに対する可撓性チューブＤの取付作業性を向上することができる。
【００４２】
次に、本発明の第３の実施形態について説明する。
本実施形態に係るしごき型ポンプは、第１及び第２の実施形態と同様、血液を体外循環させるための血液回路の一部を構成する可撓性チューブを径方向に圧縮しつつしごくことにより、当該血液回路内で血液を流動させるしごき型血液ポンプに適用されたもので、図８及び図９に示すように、ステータ６と、ステータ６内で回転駆動可能なロータ７と、該ロータ７に形成されたローラ８と、上下一対のガイドピン１１ａ、１１ｂと、カバー１２と、上流側挟持手段９と、下流側挟持手段１６とから主に構成されている。尚、先の実施形態と同様の構成要素には同一の符号を付し、その詳細な説明を省略する。
【００４３】
下側挟持手段１６は、可撓性チューブＤにおける下流側取付部位Ｄ２を挟持するためのものであり、底面部１６ｂが取付凹部Ｒ底面に形成されたレール１６ｃに沿って摺動自在とされるとともに、下流側取付部位Ｄ２を強固に挟持し得る溝１６ａが形成された部材から成る。即ち、溝１６ａは、第２の実施形態と同様、下流側取付部位Ｄ２の外径より小さい幅の溝とされており、当該下流側取付部位Ｄ２を嵌合すると下流側挟持手段１６に対して固定（長手方向及び径方向に対する移動が規制）されるようになっているのである。
【００４４】
そして、可撓性チューブＤの取付凹部Ｒへの取付時、下流側挟持手段１６で挟持された下流側取付部位Ｄ２に対して長手方向の負荷が付与されると、当該下流側挟持手段１６のレール１６ｃに沿う摺動と共に移動するようになっている。これにより、下流側挟持手段１６は、下流側取付部位Ｄ２に対する長手方向の移動を許容することとなり、第１及び第２の実施形態と同様、ほぼ自動的に可撓性チューブＤを取付凹部Ｒに取り付けることができ、取付凹部Ｒに対する可撓性チューブＤの取付作業性を向上することができる。
【００４５】
上記第１〜第３の実施形態によれば、従来のしごき型ポンプと比べ、取り付けるべき可撓性チューブＤの長さに関わらず容易且つ確実に取付凹部Ｒに取り付けることができる。即ち、長さ寸法が特定のしごき型ポンプにおける内周壁面に合致させた専用の可撓性チューブを用いれば、ガイドピン１１ａによる噛み込みが抑制され理想であるが、内周壁面が種々寸法である任意のしごき型ポンプに適用させることにより安価とするニーズも高く、その場合、長手方向の寸法（長さ）が大きく設定された汎用の可撓性チューブＤとする必要が生じる。
【００４６】
かかる汎用の可撓性チューブＤを取付凹部Ｒに取り付けようとした場合、従来のものでは、例えば上流側取付部位Ｄ１を上流側挟持手段９で挟持させた後、取付凹部Ｒの内周壁面６ａに沿って取り回し、下流側挟持手段（１０、１５、１６）にて挟持させる下流側取付部位Ｄ２を定める必要があり、取付作業が面倒となる。また、従来のものでは、取り回しの際、上流側取付部位Ｄ１と下流側取付部位Ｄ２との間の寸法を内周壁面６ａよりも長くしてしまった場合、可撓性チューブＤがステータ６からはみ出したり、噛み込みが生じ易くなってしまう。これに対し、本実施形態によれば、汎用の可撓性チューブ（長手寸法が長く設定されたもの）においても取付作業が容易で、且つステータ６からのはみ出しや噛み込みを抑制して確実な取付を行わせることができる。
【００４７】
以上、本実施形態について説明したが、本発明はこれらに限定されず、例えば可撓性チューブＤの上流側取付部位Ｄ１を挟持する上流側挟持手段を、当該上流側取付部Ｄ１を固定し得る他の形態のものに代えてもよい。また、可撓性チューブＤの下流側取付部位Ｄ２を挟持する下流側挟持手段を、当該上流側取付部Ｄ２の長手方向への移動を許容し得る他の形態のものに代えてもよい。即ち、上流側取付部位Ｄ１を固く挟持させて長手方向の移動を規制し、且つ、下流側取付部位Ｄ２を緩く挟持させて長手方向の移動を許容させれば足りるのである。
【００４８】
本実施形態においては、センサ１４にてモータ１３の回転位置を検出し、ロータ７を所定位置に停止させるようにしているが、かかるセンサ１４を具備せず、ロータ７の停止位置が一定でないものにも適用することができる。更に、本実施形態においては、血液透析治療を行う透析装置に適用されているが、患者の血液を体外させ得るための血液回路におけるしごき型血液ポンプを具備したものであれば、他の治療のものにも適用することができる。本実施形態においては、血液回路内において血液を流動させ得る血液ポンプに適用されているが、他のしごき型ポンプ（例えば補液を流動させ得る補液ポンプや患者に定量の薬剤等を注入するための輸液ポンプ等）に適用してもよい。
【産業上の利用可能性】
【００４９】
上流側挟持手段が可撓性チューブを固定して長手方向の移動を規制するとともに、下流側挟持手段がロータの回転駆動力で可撓性チューブの長手方向の移動を許容しつつ挟持するしごき型ポンプ及びその可撓性チューブの取付方法であれば、外観形状が異なるもの或いは他の機能が付加されたもの等にも適用することができる。
【図面の簡単な説明】
【００５０】
【図１】本発明のしごき型ポンプが適用される透析装置を示す模式図
【図２】同しごき型ポンプに取り付けられる血液回路の可撓性チューブを示す拡大模式図
【図３】本発明の第１の実施形態に係るしごき型ポンプを示す平面図
【図４】同しごき型ポンプを示す正面図
【図５】同しごき型ポンプにおけるロータと、該ロータに形成されたローラ及びガイドピンを示す断面模式図
【図６】本発明の第２の実施形態に係るしごき型ポンプを示す平面図
【図７】同しごき型ポンプを示す正面図
【図８】本発明の第３の実施形態に係るしごき型ポンプを示す平面図
【図９】同しごき型ポンプを示す正面図
【符号の説明】
【００５１】
１    血液回路
１ａ  動脈側血液回路
１ｂ  静脈側血液回路
２    ダイアライザ
３    血液ポンプ
４    ドリップチャンバ
５    透析装置本体
６    ステータ
７    ロータ
８    ローラ
９    上流側挟持手段
１０、１５、１６  下流側挟持手段
１１ａ、１１ｂ  ガイドピン
１２  カバー
１２ａ  押圧凸部
１３  モータ
１４  センサ（検知手段）
Ｒ    取付凹部
Ｄ    可撓性チューブ
【図１】
2008002388.tif 000003
【図２】
2008002388.tif 000004
【図３】
2008002388.tif 000005
【図４】
2008002388.tif 000006
【図５】
2008002388.tif 000007
【図６】
2008002388.tif 000008
【図７】
2008002388.tif 000009
【図８】
2008002388.tif 000010
【図９】
2008002388.tif 000011